(57)【要約】【課題】組付けに際してのドアハンドルのガタ付きをなくすようにすること。【解決手段】角芯棒本体１の背面に湾曲させた弾性鋼板１０を添設して、カム孔と角芯棒本体１との隙間を埋めてこれらのガタ付きをなくすと同時に、角芯棒本体１一端に、中央に向けて深く傾斜させた斜面４を設け、さらに、その中央部に長孔５を設けることによって、ここに横ビスの先端を係止してその緩みを抑えるようにしたもの。【選択図】　　　　図２
2004019144.tif 000002
【特許請求の範囲】
【請求項１】
両端にドアハンドルを固定する角芯棒本体の一端に、中央に向けて暫深する斜面を設けて、該斜面の巾方向中央部にドアハンドル固定用の横ビス先端を係止する長孔を設けるとともに、該角芯棒本体の一面に、該角芯棒本体とほぼ同じ長さと同じ巾を有し、かつ中央部に隙間が形成されるように湾曲を与した弾性部材を添設して、該弾性部材の一端を前記角芯棒本体の一端に固定したことを特徴とする扉錠の角芯棒。
【請求項２】
前記弾性部材を、弾性鋼板により形成したことを特徴とする請求項１記載の扉錠の角芯棒。
【請求項３】
前記弾性部材を、一端に前記角芯棒本体一端の固定孔に係止する係止片を折り曲げ形成した弾性鋼線となしたことを特徴とする請求項１記載の扉錠の角芯棒。
【発明の詳細な説明】
【０００１】
【発明の属する技術分野】
本発明は扉錠の角芯棒に関する。
【０００２】
【従来の技術】
ドアハンドルと一体となってラッチを出入させるよう回動操作される角芯棒は、軸方向にも径方向にも無駄な遊びがないよう、扉錠に密に貫装されることが要求される。
【０００３】
このため、角芯棒の両端に抜け止めピンによって固定する形式のドアハンドルでは、扉の厚みの違いによって扉との間に隙間が生じて軸方向に遊びができるため、角芯棒の一端に中央に向けて深くなるような斜面を設け、横ビスを締付けてゆくことによりこの斜面を利用してドアハンドルを飾り座に密接させるようにすることが行われているが、この種の位置決め機構では、長期の使用によって横ビスが緩んでくると再び軸方向に遊びが生じたり、回転方向にガタが生じてしまうといった不都合が生じる。
【０００４】
また一方、浅く湾曲した角棒を２枚合わせにした角芯棒を扉錠の角孔に通すようにしたものでは、角芯棒に強い剛性を付与させる必要から２枚合わせした状態の下で焼入れする必要があり、その焼入れもドアハンドルに横方向の力が作用した際に折損することがないようにするには、焼き入れ時に厳格な熱管理が必要になるなど製品管理上多くの問題が生じ、また、扉錠の角孔に樹脂のスリーブを介して角芯棒を密に通すようにしたものでは、スリーブの肉厚の分だけ大きな角孔を設けなければならない関係上、小型の扉錠では強度上の問題が生じる。
【０００５】
【発明が解決しようとする課題】
本発明はこのような問題に鑑みてなされたもので、その目的とするところは、汎用の素材を使用し、かつ僅かな加工を付加することによって、軸方向にも径方向にもガタの生じることのない新たな扉錠の角芯棒を提供することにある。
【０００６】
【課題を解決するための手段】
すなわち、本発明はかかる課題を解決するための扉錠の角芯棒として、両端にドアハンドルを固定する角芯棒本体の一端に、中央に向けて暫深する斜面を設けて、斜面の巾方向中央部にドアハンドル固定用の横ビス先端を係止する長孔を設けるとともに、この角芯棒本体の一面に、角芯棒本体とほぼ同じ長さと同じ巾を有し、かつ中央部に隙間が形成されるように湾曲を与した弾性部材を添設して、弾性部材の一端をこの角芯棒本体の一端に固定するようにしたものである。
【０００７】
【発明の実施の形態】
そこで以下に本発明の実施例について説明する。
図１乃至図３は本発明の一実施例を示したものである。
【０００８】
図において符号１は角芯棒本体で、この角芯棒本体１は、従来の角芯棒と同様、扉の両面にドアハンドル９を固定することのできる長さを有し、かつ、斜面がドアハンドル９あるいはラッチ引込み用カムに設けた角孔８よりも後述する弾性鋼板１０の肉厚に相当する分だけ薄く、角孔８の巾とほぼ等しい巾を有する部材として鋼材により一体的に形成されている。
【０００９】
この角芯棒本体１には、一端に弾性鋼板１０を固定するためのピン挿入孔２が設けられ、また、他端のドアハンドル取付け部には中央に向けて深く削り下げて傾斜させたハンドル位置決め固定用の斜面４が形成され、さらに、この斜面４の巾方向中央部には、ほぼその全長にわたって横ビス７の先端を係止する長孔５が穿設されている。
【００１０】
他方、弾性鋼板１０は、市販のバネ板を用いて、角芯棒本体１とほぼ同じ長さと巾を有し、かつ角芯棒本体１の長手方向中央部に若干の隙間が形成されるような湾曲が付与された部材として形成され、かつその一端には、角芯棒本体１に固定するための取付け孔１１が穿設されている。
【００１１】
なお、図中符号３はドアハンドル９を固定するためのスプリンブピン、６は飾り座をそれぞれ示している．
【００１２】
このように構成された角芯棒本体１の背面（この実施例ではハンドル位置決め固定用斜面４の反対側の面）には、一端を角芯棒本体１に挿通したピン１２によって弾性鋼板１０が一体的に添設されている。
【００１３】
そして、この角芯棒本体１の一端にドアハンドル９を固定した上、扉に設けた孔に角芯棒本体１の他端部を挿入してゆくと、角芯棒本体１との間に若干の隙間を有するように湾曲形成された弾性鋼板１０は、扉錠のラッチ引込み用カムに設けた角孔８の内面に弾性的に密着する。
【００１４】
したがって、最後に、扉の他面に突出した角芯棒本体１の他端にドアハンドル９を嵌め合わせ、そのボス部に螺入した横ビス７を締め付けてゆくと、その先端は、斜面４の巾方向中央に穿設した長孔５に係合した状態で斜面４の低い方へとドアハンドル９を移行させつつ、これを飾り座の面に密接させる。
【００１５】
このようにしてドアハンドル９が固定されると、ドアハンドル９の回動操作に伴うねじれや振動に拘りなく横ビス７が斜面４から外れることが阻止されて、ドアハンドル９のガタつきは確実に抑えられる。
【００１６】
図４は本発明の第２の実施例を示したものである。
２０は、扉錠、具体的にはラッチ引込み用カムに設けた角孔８との間に生じるガタを抑えるための弾性鋼線で、市販の鋼線をＵ字型に曲成したこの弾性鋼線２０の一端には、角芯棒本体１の一端に固定すべくピン孔２に挿入するための係止片２１が直角方向に折曲げ形成され、さらに、角芯棒本体１の他端からＵ字状に折返されたこの弾性鋼線２０の中央部は、角芯棒本体１との間に僅かな隙間が形成されるよう湾曲が付与されていて、この部分をラッチ引込み用カムの角孔内面に密接させることにより、第１実施例に示した弾性鋼板１０と同様の機能を持たせるように構成されている。
【００１７】
なお、上述した実施例は、いずれも弾性鋼板１０及び弾性鋼線２０を角芯棒本体１の背面に添わせるように構成したものであるが、これを角芯棒本体１の側面に添わせるようにしても、扉錠との間のガタつきを抑える機能は損なわれることがない。
【００１８】
【発明の効果】
以上述べたように本発明によれば、角芯棒本体との間に隙間が形成されるよう湾曲を付与した弾性部材を角芯棒本体の一面に添設するようにしたので、市販の弾性鋼材により形成したこの部材の強い圧接力により、扉錠の角孔と角芯棒本体との間に生じるガタを簡単になくすことができると同時に、この弾性部材を、均質な市販の弾性鋼材により形成することにより、その折れや曲りをも防いで信頼性のある扉錠を形成することができる。
【００１９】
しかも、角芯棒本体一端のドアハンドル固定部に中央に向けて深くなる斜面を形成し，かつその斜面の巾方向中央部にドアハンドル固定用の横ビス先端を係止する長孔を設けたことにより、たとえ扉の厚みに違いがあっても、横ビスを締め付けてゆくことによりドアハンドルを扉面側へ移行させて扉との隙間をなくすことができると同時に、横ビスの先端を係止するこの長孔により、ドアハンドルに必要以上の回動力を加えた場合でも、横ビスのズレを抑えてハンドルの緩みを未然に防ぐことができる。
【図面の簡単な説明】
【図１】本発明の一実施例をなす角芯棒を備えた扉錠の分解斜視図である。
【図２】本発明の一実施例をなす角芯棒についての分解斜視図である。
【図３】横ビス部分を拡大して示した断面図である。
【図４】本発明の他の実施例を示す角芯棒についての分解斜視図である。
【符号の説明】
１　角芯棒本体
４　斜面
５　長孔
１０　弾性鋼板
２０　弾性鋼線
【図１】
2004019144.tif 000003
【図２】
2004019144.tif 000004
【図３】
2004019144.tif 000005
【図４】
2004019144.tif 000006